(57)【要約】【課題】センサ付きの表示装置において、センサを表示画面と同じ面に設ける場合であっても表示画面の大きさを大きくできる。【解決手段】光透過型の表示画面を備える表示デバイス３１を用いる。表示デバイス３１の表示画面の裏面側に、表示画面を通じた入射光を検知する１または複数個のセンサ４０を設ける。表示画面の表側から見たときに、センサ４０を目立たなくするための手段を設ける。【選択図】図１
2012070356.tif 000002
【特許請求の範囲】
【請求項１】
光透過型の表示画面を備える表示素子と、
前記表示素子の前記表示画面の裏面側に設けられる、前記表示画面を通じた入射光を検知する１または複数個のセンサと、
前記表示画面の表側から見たときに、前記センサを目立たなくするための手段と
を備えるセンサ付き表示装置。
【発明の詳細な説明】
【技術分野】
【０００１】
この発明は、例えばカメラ素子や光量センサなどのセンサを備える表示装置および当該表示装置を備える電子機器に関する。
【背景技術】
【０００２】
カメラ付きの携帯電話端末が普及しており、いわゆるテレビ電話ができる携帯電話端末もある（例えば特許文献１（特開２００７-２０１８２３号公報）参照）。図１４は、テレビ電話機能を備える携帯電話端末の一例の外観を説明するための図である。この図１４は、折り畳み式の携帯電話端末１０の場合であり、上筐体１１と下筐体１２とが、回転ヒンジ部１３において、この回転ヒンジ部１３を中心に開閉可能に結合されたものである。
【０００３】
図１４（Ａ）は、この例の携帯電話端末１０を所定角度に開いた状態における側面図である。また、図１４（Ｂ）は、上筐体１１の内側面１１ａを、図１４（Ａ）において矢印ＡＲ１で示す方向から観た図である。
【０００４】
この図１４に示すように、この例の携帯電話端末１０は、上筐体１１の内側面１１ａ側には、表示デバイスの表示画面１４が露呈されて設けられると共に、当該表示画面を観視する携帯電話端末１０の利用者を撮影可能とするための内側カメラ素子１５が、表示画面１４とは、別領域に設けられている。内側カメラ素子１５は、レンズとイメージセンサとを備えているカメラ素子により構成される。
【０００５】
下筐体１２の内側面１２ａ側には、テンキーや十字型カーソルキーなどからなるキー操作部１６が設けられている。さらに、下筐体１２の外側面１２ｂ側には、外側カメラ１７が設けられている。この外側カメラ１７も、レンズとイメージセンサとを備えているカメラ素子により構成される。
【０００６】
なお、上筐体１１の内側面１１ａの上端部近傍には、通話時の受話音声を放音するためのスピーカ１８が設けられる。
【０００７】
利用者は、図１４（Ａ）のように、携帯電話端末１０を開いた状態において、テレビ電話機能を働かせると、矢印ＡＲ１の方向から表示画面１４を観ながら、テレビ電話による通信を行うことができる。このとき、内側カメラ素子１５で撮影された利用者の画像が、相手方に送られることになる。
【０００８】
図１５（Ａ）に、このテレビ電話の際の表示画面１４、内側カメラ素子１５および利用者１の位置関係を示し、この位置関係における内側カメラ素子１５による利用者１の撮像画像を、図１５（Ｂ）に示す。
【０００９】
図１５（Ａ）に示すように、テレビ電話の通信を行っているときには、利用者１は、表示画面１４に表示されている相手の画像を観るために、その視線方向は、矢印ＡＲ２のように表示画面１４の方向となる。したがって、利用者１の視線方向は、矢印ＡＲ３で示す内側カメラ素子１５のカメラ撮影方向とは異なる。
【００１０】
この結果、利用者１を撮像した画像は、図１５（Ｂ）に示すように、視線が相手を向いていない非正面画像となり、テレビ電話の通信者に違和感を与えるような画像となる。
【００１１】
また、携帯電話端末１０は、表示画面１４が利用されている環境の明るさに応じて表示画面１４の輝度を調節する機能を備える場合もある。その場合、携帯電話端末１０は、入射光の強さや光量から照度を検出する照度センサ１９を、図１６に示すように、上筐体１１の内側面のうちの、表示画面１４とは別領域に設ける。そして、携帯電話端末１０は、照度センサ１９で検出した照度に応じて、表示画面１４の輝度を、利用者が見やすくなるように調節する。例えば、表示画面１４が利用されている環境が比較的暗いときには、表示画面１４の輝度は比較的暗くし、表示画面１４が利用されている環境が明るいときには、表示画面１４の輝度は明るくする。
【００１２】
ところで、従来の携帯電話端末１０では、上述したように、照度センサ１９は、表示画面１４とは別領域に設けられているため、照度センサ１９で検出された照度は、表示画面１４へ入射する光についての照度ではない。このため、利用者にとって表示画面１４を見る際の最適な輝度調整とならない場合が生じる。
【００１３】
例えば、携帯電話端末１０を屋外で使用した場合における太陽２、表示画面１４、照度センサ１９および利用者１の位置関係の例を、図１７に示す。この図１７の例に示すような太陽２と利用者１の位置関係の場合、利用者１の人影により表示画面１４上では暗い状態であるにも拘らず、照度センサ１９は人影により隠されておらず、明るいと認識することになる。そのため、照度センサ１９で検出される照度は表示画面１４とは異なることになるが、その照度センサ１９で検出される照度に基づいて表示画面１４の輝度が調整されてしまうことになり、利用者１にとって最適の表示画面輝度とならないおそれがある。
【先行技術文献】
【特許文献】
【００１４】
【特許文献１】特開２００７−２０１８２３号公報
【発明の概要】
【発明が解決しようとする課題】
【００１５】
上述したように、カメラ素子１５や照度センサ１９などのセンサは、その用途を考慮すると表示画面１４と同じ面側に設ける必要がある。そして、従来の携帯電話端末においては、これらのカメラ素子１５や照度センサ１９などのセンサは、表示画面１４と同じ面ではあるが、表示画面１４とは別エリアに設けられている。このため、表示デバイスの表示画面１４のエリアは、これらのセンサの配置エリアを避ける必要があり、表示画面の大きさがそれだけ小さくなってしまうという問題があった。
【００１６】
また、上述したように、表示画面と同じ面にカメラ素子を設置して、表示画面を観視する利用者を撮影する場合に、従来は、表示画面とは別エリアにカメラ素子を設置するので、利用者の視線がカメラの撮像方向を向かない。このため、テレビ電話の送信画像は、視線が相手を向いた正面画像とはならず、テレビ電話通信を行っている利用者に違和感を抱かせるという問題があった。
【００１７】
さらに、従来は、表示画面の輝度を補正するための照度センサが表示画面とは別エリアに設置されるため、表示画面の輝度補正を最適に調整することができないという問題があった。
【００１８】
この発明は、以上の問題点を解消することができるセンサ付き表示装置を提供することを目的とする。
【課題を解決するための手段】
【００１９】
上記の課題を解決するために、この発明は、
光透過型の表示画面を備える表示デバイスと、
前記表示デバイスの前記表示画面の裏面側に設けられる、前記表示画面を通じた入射光を検知する１または複数個のセンサと、
前記表示画面の表側から見たときに、前記センサを目立たなくするための手段と
を備えるセンサ付き表示装置を提供することを特徴とする。
【００２０】
上述の構成のこの発明によれば、センサは、表示画面の裏面側に設けられる。そのため、表示画面が設けられる面には、センサを別途設けるためのエリアは不要となり、その分、表示画面を大きくすることができる。
【００２１】
また、センサとしてカメラ素子を用いた場合には、表示画面を観視する利用者の視線がカメラの撮像方向を向くので、利用者を正面から撮影した画像をカメラ素子から得ることができる。
【００２２】
また、センサとして、例えば照度センサなどの光センサを用いた場合には、表示画面の部分の透過した光を検出することができる。このため、照度センサの出力を用いて表示画面の輝度を補正する場合など、最適の補正をすることができるようになる。
【発明の効果】
【００２３】
この発明によれば、センサは、表示画面の裏面側に設けられるので、表示画面を大きくすることができる。また、表示画面を通じて入射する光をセンサが受光するので、従来得られなかった効果を得られる。例えば、センサがカメラ素子である場合に、利用者を正面から撮影した画像をカメラ素子から得ることができる。また、センサの例としての照度センサの出力を用いて表示画面の輝度を調整する場合には、最適に調整することができる。
【図面の簡単な説明】
【００２４】
【図１】この発明による電子機器の第１の実施形態の外観の一例を示す図である。
【図２】図１のＡ−Ａ断面図である。
【図３】この発明による電子機器の第１の実施形態の効果を説明するために用いる図である。
【図４】この発明による電子機器の第１の実施形態の内部回路ハードウエア構成例を示すブロック図である。
【図５】この発明による電子機器の第１の実施形態における処理動作の一例を説明するためのフローチャートの一部を示す図である。
【図６】この発明による電子機器の第１の実施形態における処理動作の一例を説明するためのフローチャートの一部を示す図である。
【図７】この発明による電子機器の第２の実施形態の外観の一例を示す図である。
【図８】図７のＢ−Ｂ断面図である。
【図９】この発明による電子機器の第２の実施形態の効果を説明するために用いる図である。
【図１０】この発明による電子機器の第３の実施形態の外観の一例を示す図である。
【図１１】図１０のＣ−Ｃ断面図である。
【図１２】この発明による電子機器の第３の実施形態の要部を説明するための図である。
【図１３】この発明による電子機器の第３の実施形態における処理動作の一例を説明するためのフローチャートを示す図である。
【図１４】従来の電子機器の一例を説明するための図である。
【図１５】従来の電子機器の問題点を説明するための図である。
【図１６】従来の電子機器の他の一例を説明するための図である。
【図１７】従来の電子機器の問題点を説明するための図である。
【発明を実施するための形態】
【００２５】
以下、この発明によるセンサ付き表示装置および当該表示装置を備える電子機器の実施形態を、図を参照しながら説明する。
【００２６】
＜第１の実施形態＞
図１は、この発明によるセンサ付き表示装置の第１の実施形態が適用された電子機器の例である携帯電話端末２０の正面図を示すものである。この図１の例の携帯電話端末２０は、いわゆるストレートタイプの携帯電話端末であり、薄型でほぼ矩形形状の筐体２１を備える。そして、この筐体２１の一方の平面２１ａ側に、この発明によるセンサ付き表示装置の一実施形態に相当する表示部３０の表示画面３０Ｄが形成されている。
【００２７】
そして、表示部３０の裏面側に、表示画面３０Ｄを透過した入射光を検知するセンサとして、この実施形態ではカメラ素子４０が設けられる。この例では、カメラ素子４０の位置は、表示部３０の表示画面３０Ｄのほぼ中央位置とされる。この実施形態の携帯電話端末２０は、テレビ電話機能を備え、カメラ素子４０で撮像された利用者の画像が、テレビ電話の送信画像とされる。
【００２８】
そして、この例では、筐体２１の平面２１ａの表示画面３０Ｄとは別エリアであって、表示画面３０Ｄの上方には、通話時に受話音声を放音するスピーカ２２が設けられる。また、筐体２１の平面２１ａの表示画面３０Ｄの下方には、通話時に送話音声を集音するためのマイクロホン２３および操作ボタン群が設けられている。
【００２９】
図２は、この図１の携帯電話端末２０におけるＡ−Ａ断面図である。この実施形態では、表示部３０を構成する表示デバイスは、透明ディスプレイデバイス３１により構成される。この透明ディスプレイデバイス３１は、この例では、透明有機ＥＬ（electroluminescence）パネルで構成されている。
【００３０】
この透明有機ＥＬパネルは、例えば特開２００２−２９６３７５号公報にも紹介されている周知のものを使用することができるので、その詳細な説明は省略するが、正孔注入層／有機発光層（ＥＬ層）が、２層の透明電極間に挟まれている構成である。そして、この例では、透明ディスプレイデバイス３１は、正孔注入層／有機発光層（ＥＬ層）が、バンクにより、赤色発光部、緑色発光部、青色発光部に分離されて、カラー表示が行える構成とされている。
【００３１】
そして、表示部３０は、透明ディスプレイデバイス３１の面３１ａ側（表面側）には張り合わせシート３３が被着される。この張り合わせシートの上には透明板３２が設けられる。透明板３２は、例えばプラスチックやガラスなどの透明な部材で構成される。
【００３２】
張り合わせシート３３は、例えば透明テープあるいは紫外線により硬化する透明樹脂からなる。この張り合わせシート３３の屈折率は、透明ディスプレイデバイス３１と導光板の屈折率に近いものが望ましい。もしも、この張り合わせシート３１が存在しない場合には、透明ディスプレイ３１と透明板３２との間に空気層が存在することになる。すると、透明板３１の屈折率が空気の屈折率より大きく（透明板３１の屈折率＞空気の屈折率）、臨界角が発生する。このため、例えば屋外で携帯電話端末２０を使用した場合に、外光が強いときに透明板３２で反射を起こし、透明ディスプレイデバイス３１での表示内容が認識し辛くなる。
【００３３】
この実施形態では、屈折率が透明ディスプレイデバイス３１に近い張り合わせシート３３を、透明ディスプレイデバイス３１と透明板３２との間に設けることにより、臨界角の発生を防止して、透明ディスプレイデバイス３１での表示内容が認識し辛くなるのを回避するようにしている。
【００３４】
なお、張り合わせシート３３は、できるだけ透明ディスプレイデバイス３１と透明板３２との間に空気層を生じさせないように張り合わせることにより、省略することもできるので、必須のものではない。
【００３５】
カメラ素子４０は、レンズとＣＣＤ（Charge  Coupled  Device）イメージセンサやＣＭＯＳ（Complementary  Metal  Oxide  Semiconductor）イメージセンサとからなる。そして、カメラ素子４０は、レンズ側が透明ディスプレイデバイス３１の面３１ａ側とは反対側の面（裏面側）を向く状態で、基板５０上に設けられ、透明ディスプレイデバイス３１を透過してくる光を受光する。
【００３６】
したがって、カメラ素子４０には、被写体像からの光が、透明ディスプレイデバイス３１で構成される表示部３０を透過して入射する。これにより、カメラ素子４０から撮像出力画像信号を得ることができる。
【００３７】
ここで、カメラ素子４０は、透明ディスプレイデバイス３１の裏面側に設けられているが、表示部３０が透明であるため、そのままでは、表示画面３０Ｄを観視する利用者によりカメラ素子４０が認識されて、目立つおそれがある。そこで、この実施形態では、透明ディスプレイデバイス３１の裏面側に設けられているカメラ素子４０を目立たなくする方策が施されている。
【００３８】
すなわち、この実施形態では、透明ディスプレイデバイス３１の裏面には、カメラ素子４０の表面（少なくともレンズを備える入射面）と対向する部分を除いて、印刷層３４が設けられている。この印刷層３４により、透明ディスプレイデバイス３１の裏面側に設けられているカメラ素子４０が目立たないようにしている。
【００３９】
この場合、印刷層３４は、カメラ素子４０の透明ディスプレイデバイス３１の裏面側を向く表面における光反射特性と同様の光反射特性を有するように形成されている。例えば、カメラ素子４０の透明ディスプレイデバイス３１の裏面側を向く表面が黒く見える場合には、印刷層３４は、黒色の印刷層とされる。また、カメラ素子４０の透明ディスプレイデバイス３１の裏面側を向く表面のレンズの光沢と同様の光沢を有する印刷層とするとさらに良い。その他、印刷層３４の材料としては、カメラ素子４０の透明ディスプレイデバイス３１の裏面側を向く表面における光反射特性と同様の光反射特性を有する材料であれば、いかなるものも採用可能である。
【００４０】
基板５０には、カメラ素子４０が搭載されると共に、透明ディスプレイデバイス３１およびカメラ素子４０などを動作させるための電子部品および携帯電話端末２０の種々の機能を動作させるための電子部品が搭載されている。
【００４１】
以上のように、この実施形態の携帯電話端末２０においては、表示部３０は透明ディスプレイデバイス３１で構成され、この透明ディスプレイデバイス３１の裏面側にカメラ素子４０が設けられる。したがって、カメラ素子４０は、表示部３０を透過した、被写体像からの光を受けて、撮像画像を出力することができる。
【００４２】
そして、この実施形態では、カメラ素子４０が表示部３０の表示画面３０Ｄの領域内に設けられることになるので、このカメラ素子４０で撮影した利用者の画像を、テレビ電話用の送信画像とすることにより、冒頭で述べた従来の問題点を解消できる。
【００４３】
図３（Ａ）に、この実施形態の携帯電話端末２０におけるテレビ電話の際の表示部３０の表示画面３０Ｄ、カメラ素子４０および利用者１の位置関係を示す。また、この位置関係におけるカメラ素子４０による利用者１の撮像画像を、図３（Ｂ）に示す。
【００４４】
この実施形態の携帯電話端末２０においては、利用者は、テレビ電話機能を働かせて、矢印ＡＲ３の方向から表示画面３０Ｄを観ながら、テレビ電話による通信を行う。このとき、カメラ素子４０で撮影された利用者の画像が、相手方に送られる。
【００４５】
したがって、図３（Ａ）に示すように、利用者１の視線方向は、矢印ＡＲ３の方向となり、表示画面３０Ｄの裏面側のカメラ素子４０の方向を向いている。すなわち、利用者１の視線方向は、図３（Ａ）において矢印ＡＲ４で示すカメラ素子４０のカメラ撮影方向と、向きは逆であるが、同一方向となる。このため、カメラ素子４０で撮影された画像は、図３（Ｂ）のように、視線が相手を向いた正面画像となる。これにより、冒頭で述べた従来のテレビ電話における利用者に違和感を抱かせるという問題を解消できる。
【００４６】
また、カメラ素子４０が、表示部３０の表示画面３０Ｄの領域内に設けられることになるので、表示画面３０Ｄとは別エリアにカメラ素子用のエリアを設ける必要が無く、その分、表示画面３０Ｄの大きさを大きくすることができるという効果もある。
【００４７】
ただし、カメラ素子４０は、入射光を、表示部３０を通じて受光するので、カメラ素子４０の入射光が表示部３０の存在に基づく影響を受ける場合には、その影響を除去する必要がある。
【００４８】
ところで、透明ディスプレイデバイス３１としてこの実施形態で用いられる透明有機ＥＬパネルは、片面発光タイプと、両面発光タイプとがある。片面発光タイプの透明有機ＥＬパネルは、透明ディスプレイデバイス３１の裏面側となる電極が例えばアルミニュームなどの金属電極とされ、正孔注入層／有機発光層（ＥＬ層）からの発光光は、表面側にのみ出射される。
【００４９】
一方、両面発光タイプの透明有機ＥＬパネルは、正孔注入層／有機発光層（ＥＬ層）を挟む２層の電極は、共に、例えばＩＴＯ（Indium  Tin  Oxide）からなる透明電極とされる。このため、両面発光タイプの透明有機ＥＬパネルでは、正孔注入層／有機発光層（ＥＬ層）からの発光光が、表面側のみならず裏面側にも出射される。
【００５０】
このため、透明ディスプレイデバイス３１として片面タイプの透明有機ＥＬパネルを用いた場合、その裏面側に設けられるカメラ素子４０への当該透明有機ＥＬパネルからの発光光の入射は殆どないと考えられる。したがって、カメラ素子４０が表示部３０の透明ディスプレイデバイス３１の表示画像の影響を受けないという点では、この片面タイプの透明有機ＥＬパネルを透明ディスプレイデバイス３１として用いることが最適である。しかし、片面タイプの透明有機ＥＬパネルを透明ディスプレイデバイス３１として用いる場合、透明ディスプレイデバイス３１の裏面側に透過する光量、すなわち、カメラ素子４０への入射光量が減少する。
【００５１】
これに対して、両面発光タイプの透明有機パネルを用いた場合には、透明ディスプレイデバイス３１の裏面側に透過する光量の減少は少ない。しかし、両面発光タイプの透明有機ＥＬパネルの場合には、その裏面側に設けられるカメラ素子４０に対しても、正孔注入層／有機発光層（ＥＬ層）からの発光光が入射することになる。このため、カメラ素子４０の入射光は、表示部３０に表示されるカラー画像の影響を受けることになる。
【００５２】
この実施形態では、カメラ素子４０への入射光をできるだけ減少させないため、透明ディスプレイデバイス３１として両面発光タイプの透明有機ＥＬパネルを用いる。そして、カメラ素子４０の出力撮像画像データについて、表示部３０に表示されるカラー画像の影響を除去する補正を施す。
【００５３】
図４は、この実施形態の携帯電話端末２０の内部電子回路のハードディスク構成例を示すブロック図である。この実施形態の携帯電話端末２０においては、制御バス１０１およびデータバス１０２からなるシステムバスに対して、マイクロコンピュータにより構成されるホスト制御部１１１と、メインメモリ１１２と、バッファメモリ１１３とが接続されている。また、システムバスには、通信回路１１４と、ディスプレイコントローラ１１５と、操作部１１６と、カメラコントロール部１１７と、カメラ色補正制御部１１８とが接続されている。
【００５４】
ホスト制御部１１１を構成するマイクロコンピュータには、この実施形態の携帯電話端末の種々の処理を制御するためのソフトウエアプログラムが格納されている。ホスト制御部１１１は、そのソフトウエアプログラムにしたがって種々の制御処理を実行する。
【００５５】
メインメモリ１１２は、例えば、携帯電話端末２０における電話帳データやメールアドレス、インターネットを通じてアクセスする相手のＵＲＬ（Uniform  Resource  Locator）などのデータを格納する。また、メインメモリ１１２は、カメラ素子４０で撮像した画像データを格納することもできる。また、携帯電話端末２０が備える機能に付随する蓄積データ（アプリケーションプログラムを含む）も格納する。
【００５６】
バッファメモリ１１３は、ホスト制御部１１１がソフトウエアプログラムに従った処理を行う際のワークエリアとして使用される。
【００５７】
電話通信回路１１４は、基地局および携帯電話ネットワークを通じて電話通信やその他の情報通信（インターネットを通じた通信を含む）を行なうための携帯電話通信用の無線通信部であり、アンテナ１１４ＡＴを通じて通信データを送受する。
【００５８】
データバス１０２には、受話器となるスピーカ２２と、送話器となるマイクロホン２３が接続されている。ホスト制御部１１１の制御の下、電話通信回路１１４で受信された相手方からの通話音声がスピーカ２２から放音され、マイクロホン２３で収音された送話音声が、電話通信回路１１４を通じて相手方に送信される。この実施形態では、電話通信回路１１４は、テレビ電話の際には、カメラ素子４０で撮像された撮像画像の画像データも送受する。
【００５９】
ディスプレイコントローラ１１５には、この例では、透明ディスプレイデバイス３１が接続されている。透明ディスプレイデバイス３１には、ホスト制御部１１１の制御の下、種々の画像が表示されると共に、テレビ電話のときには、相手方から送られてくる相手の画像が表示される。
【００６０】
操作部１１６は、テンキーやメニュー選択用の上下左右キー、その他のキーを備えて構成されている。ホスト制御部１１１は、操作部１１６を通じていかなるキーが操作されたかを検知し、当該操作されたキーに対応する制御処理動作を実行するように構成されている。
【００６１】
また、カメラコントロール部１１７には、カメラ素子４０が接続されている。そして、カメラ撮影機能やテレビ電話機能が操作部１１６を通じた操作により起動されたときには、カメラ素子４０から撮像画像データが、カメラコントロール部１１８を通じてデータバス１０２に取り込まれる。
【００６２】
カメラ色補正制御部１１８は、カメラコントロール部１１８がカメラ素子４０から読み込んだ撮像画像データを、データバス１０２を通じて受けて、ホスト制御部１１１の制御の下に色補正する。カメラ色補正制御部１１８は、マイクロコンピュータを搭載した構成として、ホスト制御部１１１の制御にしたがって制御処理を実行する構成とすることができる。
【００６３】
なお、このカメラ色補正制御部１１８は、ホスト制御部１１１が、そのソフトウエアプログラムに従って実行するソフトウエア機能手段として構成することもできる。
【００６４】
図５およびその続きである図６に、カメラ素子４０からの撮像画像データについての色補正処理の流れの一例を示すフローチャートを示す。この図５および図６のフローチャートの各ステップの処理は、ホスト制御部１１１とカメラ色補正制御部１１８とが実行する。
【００６５】
ホスト制御部１１１は、操作部１１６からの操作入力を監視して、カメラ素子４０を起動する操作がなされたか否か判別する（ステップＳ１）。前述したように、カメラ素子４０を起動する操作は、当該カメラ素子４０によるカメラ撮影およびテレビ電話の起動操作などである。この場合、カメラ撮影には、静止画撮影モードおよび動画撮影モードが可能であるが、説明の簡単のため、ここでは静止画撮影モードのみの場合として説明する。
【００６６】
ステップＳ１で、カメラ素子４０を起動する操作がなされていないと判別したときには、ホスト制御部１１１は、その他の処理の処理ルーチンに移行する（ステップＳ２）。そして、ホスト制御部１１１は、このステップＳ２の処理を終了した後には、処理をステップＳ１に戻し、このステップＳ１以降の処理を繰り返す。
【００６７】
ステップＳ１で、カメラ素子４０を起動する操作がなされたと判別したときには、ホスト制御部１１１は、カメラコントロール部１１７を制御して、カメラ素子４０を作動状態にする（ステップＳ３）。
【００６８】
次に、ホスト制御部１１１は、カメラ素子４０を起動する操作は、テレビ電話モードの起動操作であるか否か判別する（ステップＳ４）。このステップＳ４で、テレビ電話モードの起動操作ではないと判別したときには、ホスト制御部１１１は、カメラ撮影モードであると判別して、操作部１１６におけるシャッター操作がなされたか否か判別する（ステップＳ５）。
【００６９】
このステップＳ５で、シャッター操作がなされたと判別したときには、ホスト制御部１１１は、カメラコントロール部１１７を制御して、カメラ素子４０からの撮像画像データをバッファメモリ１１３に一時格納させる（ステップＳ６）。
【００７０】
次に、ホスト制御部１１１は、表示画面３０Ｄの全表示エリアのうちのカメラ素子４０に対応する表示エリアに表示されるカラー画像を生成するカラー画像情報部分を、カメラ色補正制御部１１８に送って参照させる（ステップＳ７）。ここで、参照するカラー画像情報部分の表示エリアは、カメラ素子４０のレンズの光軸に沿う方向のみではなく、斜め方向からの入射光も考慮した方が良い。このため、参照するカラー画像情報部分の表示エリアは、カメラ素子４０のレンズの中心の真上に対応する位置を中心としたエリアであって、レンズの大きさよりも、斜め方向からの光入射を考慮した分だけ大きいエリアとされる。
【００７１】
そして、ホスト制御部１１１は、カメラ色補正制御部１１８を制御して、バッファメモリ１１３に保存されている撮像画像データについて、参照したカラー画像情報部分に基づいた色補正を実行させる（ステップＳ８）。
【００７２】
すなわち、透明ディスプレイデバイス３１では、正孔注入層／有機発光層（ＥＬ層）が、参照したカラー画像情報部分によりカラー画像を生成するように発光するので、その発光による光が、カメラ素子４０にも入射する。そのため、カメラ素子４０からの撮像画像は、当該参照したカラー画像情報部分による発光光によって色づいたようなものとなる。そこで、カメラ色補正制御部１１８は、透明ディスプレイデバイス３１の、参照したカラー画像情報部分による発光光による色づきを除去するように、バッファメモリ１１３に保存した撮像画像データを色補正する。
【００７３】
そして、カメラ色補正制御部１１８は、色補正した撮像画像データをメインメモリ１２に格納するようにする（ステップＳ８）。これにより、シャッターが操作された時点の静止画像のカラー画像データが、メインメモリ１２に格納される。このステップＳ８の次には、処理は、ステップＳ１に戻り、このステップＳ１以降の処理が繰り返される。
【００７４】
また、ステップＳ５で、シャッターが操作されていないと判別したときには、ホスト制御部１１１は、カメラ撮影モードの終了操作がなされたか否か判別する（ステップＳ１０）。そして、ステップＳ１０で、終了操作がなされていないと判別したときには、ホスト制御部１１１は、処理をステップＳ５に戻し、このステップＳ５以降の処理を繰り返す。
【００７５】
また、ステップＳ１０で、カメラ撮影モードの終了操作がなされたと判別したときには、ホスト制御部１１１は、カメラコントロール部１１７を制御してカメラ素子４０の作動を停止させる（ステップＳ１１）。そして、ホスト制御部１１１は、その後、処理をステップＳ１に戻し、このステップＳ１以降の処理を繰り返す。
【００７６】
次に、ステップＳ４で、テレビ電話モードの起動操作であると判別したときには、ホスト制御部１１１は、テレビ電話の通信状態になるのを待つ（図６のステップＳ２１）。このステップＳ２１で、テレビ電話の通信状態になったと判別したときには、ホスト制御部１１１は、カメラコントロール部１１７を制御して、カメラ素子４０からの撮像画像データをバッファメモリ１１３に一時格納させる（ステップＳ２２）。
【００７７】
次に、ホスト制御部１１１は、表示画面３０Ｄの全表示エリアのうちのカメラ素子４０に対応する表示エリアに表示されるカラー画像を生成するカラー画像情報部分を、カメラ色補正制御部１１８に送って参照させる（ステップＳ２３）。そして、ホスト制御部１１１は、カメラ色補正制御部１１８を制御して、バッファメモリ１１３に保存されている撮像画像データについて、ステップＳ８と同様に、参照したカラー画像情報部分に基づいた色補正を実行させる（ステップＳ２４）。
【００７８】
そして、カメラ色補正制御部１１８は、色補正した撮像画像データを電話通信回路１１４に送る。電話通信回路１１４は、マイクロホン２３で収音した音声データと共に、受け取った撮像画像データを送信データに変換して、相手方に送信する（ステップＳ２５）。
【００７９】
次に、ホスト制御部１１１は、テレビ電話の通信終了操作がなされたか否か判別し（ステップＳ２６）、通信終了操作がなされていないと判別したときには、処理をステップＳ２２に戻し、このステップＳ２２以降の処理を繰り返す。
【００８０】
ステップＳ２６で、テレビ電話の通信終了操作がなされたと判別したときには、ホスト制御部１１１は、カメラコントロール部１１７を制御してカメラ素子４０の作動を停止させる（ステップＳ２７）。そして、ホスト制御部１１１は、その後、処理をステップＳ１に戻し、このステップＳ１以降の処理を繰り返す。
【００８１】
以上のようにして、この実施形態では、カメラ素子４０は透明ディスプレイデバイス３１の裏面側に設けられている。このため、当該透明ディスプレイデバイス３１にカラー画像が表示されていると、カメラ素子４０からのカラー撮像画像は、そのカラー表示画像により色づいたようなものとなってしまうことがある。しかし、この実施形態では、上述のようにして、カメラ素子４０からのカラー撮像画像は、透明ディスプレイデバイス３１の表示画像に基づいて色補正されるので、撮像画像の色付きを軽減あるいは除去することができる。
【００８２】
なお、上述の説明は、透明ディスプレイデバイス３１の表示画像がカラー画像であったので、カメラ素子４０からの撮像画像データについては、当該カラー表示画像に基づく色付きの補正とした。しかし、透明ディスプレイデバイス３１の表示画像がモノクロの画像である場合にも、カメラ素子４０からの撮像画像データの補正を、表示画像データに基づいて行うことができる。
【００８３】
すなわち、透明ディスプレイデバイス３１の表示画像がモノクロの画像である場合には、表示画像に応じて、カメラ素子４０から得られる撮像画像データに明暗が生じる。そこで、カメラ素子４０からの撮像画像データについては、そのモノクロの表示画像データに基づいて、輝度補正をするようにすれば良い。つまり、カメラ素子４０からの撮像画像データのゲインを、カメラ素子４０への光入射位置に対応する表示画面位置の光透過量に基づいて補正する手段を設けるようにすれば良い。
【００８４】
＜第１の実施形態の変形例＞
なお、透明ディスプレイデバイス３１の裏面側のセンサの例としてのカメラ素子４０を目立たなくするための手段としては、透明ディスプレイデバイス３１の裏面に、印刷層を設ける構成に限られるわけではない。例えば、透明ディスプレイデバイス３１の裏面に印刷層３４を設ける代わりに、カメラ素子４０を設置する基板５０の表面（透明ディスプレイデバイス３１の裏面側に対向する面）に、同様の印刷層を設けるようにして良い。
【００８５】
また、印刷層３４の代わりに、同様の光学的反射特性を有するシートを、透明ディスプレイデバイス３１の表示画面の裏面側に配する構成としても良い。
【００８６】
また、カメラ素子４０を設置する基板５０の表面全体（カメラ素子４０を含む）を、光透過率が例えば４０％〜６０％のカラーシェードフィルムで覆うようにしても良い。
【００８７】
また、基板５０は、必ずしも、表示部３０の表示画面３０Ｄの裏面側に設ける必要は無く、フレキシブル基板などを含むリード部を通じて、表示部３０表示画面３０Ｄの裏面を除く部分に設けられる基板に、カメラ素子４０や表示部３０が電気的に接続されても良い。その場合には、透明ディスプレイデバイス３１の裏面に印刷層３４を設ける代わりに、筐体２１の内部の壁面に、印刷層３４と同様の印刷層を設けるようにして良い。
【００８８】
なお、上述の実施形態では、透明ディスプレイデバイス３１の裏面側には、１個のカメラ素子４０を設けるようにしたが、この発明においては、透明ディスプレイデバイス３１の裏面側に設けるカメラ素子の個数は複数個であっても良い。例えば３Ｄ画像を撮像画像として得るためには、左右の目用の２個のカメラ素子を設ける。
【００８９】
なお、上述の実施形態では、操作部は、表示画面３０Ｄとは別エリアに操作ボタン群を設けて構成するようにしたが、表示画面３０Ｄの表面に透明タッチパネルを設けて、表示画面３０Ｄにボタンアイコンを並べることにより、操作部を構成しても良い。
【００９０】
なお、前述したように、片面発光タイプの透明有機ＥＬパネルを透明ディスプレイデバイス３１として用いる場合には、前述したカメラ色補正制御部１１８は、省略しても良い。しかし、その場合には、片面発光タイプの透明有機ＥＬパネルでの入射光の減衰分を考慮して、カメラ素子４０での入射光感度を上げたり、カメラ素子からの撮像画像データのゲインを挙げたりする補正をするようにするとさらに良い。
【００９１】
上述の実施形態は携帯電話端末の場合であり、電源が投入されている状態では、表示画面３０Ｄには、常に何等かの表示を行うようにしている。このため、上述のように、カメラ素子４０での撮像時には、その出力撮像画像データについては、表示画像に応じた補正をする必要があった。しかし、表示部３０での画像表示をオン・オフすることができる電子機器の場合には、カメラ素子４０の作動時には、表示部３０における画像表示をオフとすることにより、表示部３０は透明状態となり、上述のような補正は不要となることは言うまでもない。
【００９２】
［第２の実施形態］
上述の第１の実施形態は、表示画面の裏面側にセンサとしてカメラ素子を配する例であった。これに対して、第２の実施形態は、センサとして照度センサと近接センサとを設ける例の場合である。
【００９３】
図７は、この第２の実施形態の場合の電子機器の一例の外観を説明するための図であり、この例は、折り畳み式携帯電話端末６０の場合である。この例の折り畳み式携帯電話端末６０は、上筐体６１と下筐体６２とが、回転ヒンジ部６３において、この回転ヒンジ部６３を中心に開閉可能に結合されたものである。図７は、当該折り畳み式携帯電話端末６０を所定角度に開いた状態において、上筐体６１の内側面６１ａを、それに直交する方向から観た図である。この図７は、従来の折り畳み式携帯電話端末の図１４（Ｂ）の図に対応している。また、図８は、この図７の携帯電話端末６０におけるＢ−Ｂ断面図である。
【００９４】
この例の携帯電話端末６０は、上筐体６１の内側面６１ａ側には、第１の実施形態の表示部３０と同様の構成の表示部が設けられている。この第２の実施形態の携帯電話端末６０においても、表示部は第１の実施形態の表示部３０と同一であるので、説明の理解を容易にするため、同じ参照番号を付すものとする。
【００９５】
すなわち、第２の実施形態の携帯電話端末６０においては、上筐体６１の内側面６１ａ側に、表示部３０を設ける。そして、この表示部３０の表示画面３０Ｄの裏面側に、この第２の実施形態では、表示画面３０Ｄの輝度補正用の照度センサ７１と、近接センサ７２とを設ける。
【００９６】
なお、上筐体６１の内側面６１ａの表示画面３０Ｄとは別エリアの上端部近傍には、通話時の受話音声を放音するためのスピーカ６４が設けられる。
【００９７】
この第２の実施の形態の場合にも、図８に示すように、透明ディスプレイデバイス３１の裏面側に設けられている２個のセンサ７１，７２を目立たなくするために、第１の実施形態と同様にして、印刷層３４が設けられている。
【００９８】
この第２の実施形態では、透明ディスプレイデバイス３１の裏面には、センサ７１，７２の表面と対向する部分を除いて、印刷層３４が設けられている。この印刷層３４により、透明ディスプレイデバイス３１の裏面側に設けられている２個のセンサ７１，７２が目立たないようにしている。
【００９９】
印刷層３４は、２個のセンサ７１，７２の透明ディスプレイデバイス３１の裏面側を向く表面における光反射特性と同様の光反射特性を有するように形成されている。例えば、センサ７１，７２の透明ディスプレイデバイス３１の裏面側を向く表面が黒く見える場合には、印刷層３４は、黒色の印刷層とされる。また、センサ７１，７２の透明ディスプレイデバイス３１の裏面側を向く表面が光沢を備える場合、それと同様の光沢を有する印刷層とするとさらに良い。なお、印刷層３４の材料としては、センサ７１，７２の透明ディスプレイデバイス３１の裏面側を向く表面における光反射特性と同様の光反射特性を有する材料であれば、いかなるものも採用可能である。
【０１００】
なお、この携帯電話端末６０の内部回路ハードウエア構成は、図４に示した第１の実施形態の携帯電話端末２０の内部回路ハードウエア構成と同様の構成を備え、カメラ素子４０に代わって、システムバスに対して、センサ７１，７２が、そのインターフェースを介して接続される。
【０１０１】
そして、前述もしたように、携帯電話端末６０のホスト制御部は、照度センサ７１で検出した照度に応じて、表示画面３０Ｄの輝度を、利用者が見やすくなるように調節する。例えば、照度センサ７１で検出された照度が低く、表示画面３０Ｄが利用されている環境が比較的暗いときには、表示画面３０Ｄの輝度は比較的暗くする。また、照度センサ７１で検出された照度が高く、表示画面３０Ｄが利用されている環境が明るいときには、表示画面３０Ｄの輝度は明るくする。
【０１０２】
このとき、表示画面３０Ｄにカラー画像が表示されている場合には、当該表示画像に応じて照度センサ７１への入射光量が変化する場合には、その変化光量に応じた補正を、当該照度センサ７１の照度検出出力に対して施すとさらに良い。
【０１０３】
このように、第２の実施形態においては、照度センサ７１は表示画面３０Ｄの裏面側において、当該表示画面３０Ｄの表示エリアと重なったエリア内に設けられるので、冒頭で述べたような従来の問題点を回避することができる。
【０１０４】
例えば、携帯電話端末６０を屋外で使用した場合における太陽２、表示画面３０Ｄ、照度センサ７１および利用者１の位置関係の例を、図９に示す。この図９の例に示すような太陽２と利用者１の位置関係の場合、利用者１の人影により表示画面３０Ｄ上では暗い状態になるが、この第２の実施形態においては、照度センサ７１も人影により隠される。そのため、照度センサ７１で検出される照度は表示画面３０Ｄと同じになり、その照度センサ７１で検出される照度に基づいて表示画面３０Ｄの輝度が調整されることにより、表示画面３０Ｄの輝度は、利用者１にとって最適の表示画面輝度となる。
【０１０５】
近接センサ７２は、この例では、赤外線型の近接センサで構成され、通話時における表示画面３０Ｄへの利用者の顔の接近と、携帯電話端末６０を折り畳んだときの下筐体６２の表示画面３０Ｄへの接近を検知する。
【０１０６】
すなわち、この例の近接センサ７２は、赤外線発光素子と受光素子とからなり、赤外線発光素子からの赤外線が検出対象物に反射して戻ってくる赤外線を受光素子で受光する。受光素子からは、近接センサ７２と検出対象物との距離に応じた電力が出力される。携帯電話端末６０のホスト制御部は、この近接センサ７２の受光素子の出力電力が、予め定めた所定値以上であったときに、検出対象物が一定距離内に近づいたと判定する。
【０１０７】
そして、携帯電話端末６０のホスト制御部は、近接センサ７２の出力に基づいて、検出対象物が一定距離内に近づいたと判定したときには、表示部３０をオフに制御する。表示部３０がタッチパネル付きの場合には、タッチパネルもオフに制御する。
【０１０８】
したがって、携帯電話端末６０のホスト制御部は、近接センサ７２の出力により、折り畳み状態に閉じられていることを検出したときには、表示部３０をオフにして表示画面３０Ｄへの表示を停止し、開いた状態を検出したときには、表示部３０をオンにして表示画面３０Ｄへの表示を開始する。
【０１０９】
また、携帯電話端末６０のホスト制御部は、近接センサ７２の出力により、通話をしようとして利用者が顔を表示部３０に近づけたことを検出したときにも、表示部３０をオフにして表示画面３０Ｄへの表示を停止する。そして、通話を終了して利用者が顔を表示部３０から遠ざけると、携帯電話端末６０のホスト制御部は、そのことを近接センサ７２の出力から検出し、表示部３０をオンにして表示画面３０Ｄへの表示を再開する。
【０１１０】
この第２の実施形態によれば、従来は、近接センサ７２も表示画面３０Ｄと同じ面内において、表示画面３０Ｄとは別エリアに設けられていたが、近接センサ７２は、照度センサ７１と共に、表示画面３０Ｄの裏面側に設けることができる。したがって、それらのセンサ７１，７２を設けるスペースを省略することができ、表示画面３０Ｄの大きさをそれだけ大きくすることが可能である。
【０１１１】
この第２の実施形態についても、透明ディスプレイデバイス３１の裏面側に設けたセンサ７１，７２を目立たなくするための手段としては、上述した第１の実施形態と同様の変形例を適用可能である。また、第１の実施形態で説明したその他の変形例も、この第２の実施形態についても同様に適用可能である。
【０１１２】
なお、上述の第２の実施形態では、表示画面３０Ｄの裏面側には、照度センサ７１と近接センサ７２とを設けるようにしたが、これに加えて、第１の実施形態で説明したカメラ素子４０を、表示画面３０Ｄの裏面側に設ける構成とすることもできる。また、近接センサ７２は、光検出方式を用いるものであれば、赤外線型のものに限らない。
【０１１３】
さらに、上述の第２の実施形態は、折り畳み式の携帯電話端末に限らず、いわゆるストレートタイプの携帯電話端末にも適用できることは言うまでもない。
【０１１４】
［第３の実施形態］
第３の実施形態は、例えば、センサが利用者の所定の入力操作を検出するものである場合に、表示画面の裏面側にセンサが設けられることを利用して、表示画面に利用者の所定の入力操作のガイド表示をすることで、センサで所定の入力操作を確実に検出できるようにした場合の例である。
【０１１５】
例えば、指紋センサにより利用者の指紋を読み取り、当該利用者の指紋認証を行う場合、適切な案内ガイドが無い場合には、慣れない利用者は指紋をどのように入力すればよいかが分からない場合がある。
【０１１６】
この第３の実施形態の一例は、この指紋認証を行える携帯電話端末において、慣れない利用者であっても、容易に指紋認証のための入力操作を行えるようにしたものである。
【０１１７】
図１０に、この第３の実施形態の電子機器の一例である携帯電話端末８０の外観構成図を示す。また、図１１は、図１０におけるＣ−Ｃ断面図を示す。
【０１１８】
この図１０の例の携帯電話端末８０は、いわゆるストレートタイプの携帯電話端末であり、薄型でほぼ矩形形状の筐体８１を備える。この例の携帯電話端末８０は、筐体８１の一方の平面８１ａ側に、この発明によるセンサ付き表示装置の一実施形態に相当する表示部３０の表示画面３０Ｄが形成されている。この第２の実施形態の携帯電話端末６０においても、表示部は第１の実施形態の表示部３０と同一であるので、説明の理解を容易にするため、同じ参照番号を付すものとする。
【０１１９】
すなわち、第３の実施形態の携帯電話端末８０においては、筐体８１の一方の平面８１ａ側に、表示部３０を設ける。そして、この表示部３０の表示画面３０Ｄの裏面側に、この第３の実施形態では、表示画面３０Ｄを横方向に横切るバー状の指紋センサ９０を設ける。この第３の実施形態においても、透明ディスプレイデバイス３１の裏面側に設けた指紋センサ９０を目立たなくするための手段として、上述した第１の実施形態と同様の印刷層３４が設けられている。
【０１２０】
なお、筐体８１の一方の平面８１ａの表示画面３０Ｄとは別エリアの上端部近傍には、通話時の受話音声を放音するためのスピーカ８２が設けられ、また、下端部近傍には通話時の送話音声を収音するためのマイクロホン８３が設けられている。
【０１２１】
そして、この第３の実施形態においては、携帯電話端末８０は、指紋認証機能を備え、当該指紋認証機能を起動するための操作ボタン等を備えている。
【０１２２】
なお、この携帯電話端末８０の内部回路ハードウエア構成は、図４に示した第１の実施形態の携帯電話端末２０の内部回路ハードウエア構成と同様の構成を備え、カメラ素子４０に代わって、システムバスに対して、指紋センサ９０が、そのインターフェースを介して接続される。
【０１２３】
そして、携帯電話端末８０のホスト制御部は、操作入力により指紋認証機能が起動されたことを検知すると、それまで表示画面３０Ｄに表示されていた待ち受け画面から、指紋認証用画面に切り替える。この指紋認証用画面には、利用者がどのように指紋を指紋センサ９０で読み取りさせるかのガイド表示がなされる。この指紋認証用画面の一例を図１２に示す。
【０１２４】
この指紋認証用画面には、指紋センサ９０のおおよその位置を利用者に知らせる第１のガイド画像９１と、指紋の入力位置を利用者に知らせる第２のガイド画像９２とが表示される。したがって、利用者は、指紋認証の際には、この表示画面３０Ｄに表示されている第１のガイド画像９１と、第２のガイド画像９２とに案内された指紋入力操作をすれば良い。これにより、指紋センサ９０は、迅速且つ確実に指紋入力を受け付けることが可能となり、指紋認証を速やかに行える。
【０１２５】
この第３の実施形態における指紋認証機能が起動されたときの表示画面３０Ｄの表示画像の切替処理の流れの一例について、図１３のフローチャートを参照しながら説明する。
【０１２６】
携帯電話端末８０のホスト制御部は、指紋認証機能の起動操作がなされたか否か判別し（ステップＳ３１）、起動操作がなされていないと判別したときには、表示部３０の透明ディスプレイデバイス３１に、待ち受け画面を継続して表示し、その他の処理を実行する（ステップＳ３２）。
【０１２７】
ステップＳ３１で、指紋認証機能の起動操作がなされたと判別したときには、ホスト制御部は、表示部３０の透明ディスプレイデバイス３１に、指紋認証用画面を表示して、それまで表示されていた待ち受け画面から切り替える（ステップＳ３３）。
【０１２８】
そして、ホスト制御部は、利用者による指紋認証操作および処理が終了したか否か判別し（ステップＳ３４）、終了したと判別したときには、表示部３０の透明ディスプレイデバイス３１の表示画面を、指紋認証用画面から待ち受け画面に切り替える（ステップＳ３５）。そして、ホスト制御部は、処理をステップＳ３１に戻し、このステップＳ３１以降の処理を繰り返す。
【０１２９】
以上のように、この第３の実施形態によれば、透明ディスプレイデバイス３１で構成される表示部３０の裏側に、指紋センサ９０を設けると共に、その上の透明ディスプレイデバイス３１において、指紋入力操作用のガイド画像を表示することができる。したがって、利用者は、ガイド画像から、指紋入力するときの指の位置を容易に合わせることができ、指紋認証し易くなる。
【０１３０】
なお、以上の例では、第１のガイド画像９１と第２のガイド画像９２とは静止画像としたが、第２のガイド画像を、指を入力する際の動きに合わせた動画とすることにより、利用者が、指紋入力する際に指を動かすスピードをも案内するようにすることもできる。また、音声ガイドメッセージを合わせて、スピーカ８２から放音するようにしても良い。
【０１３１】
以上の第３の実施形態は、指紋認証の場合に適用した例であるが、表示画面３０Ｄの裏面側に設けられるセンサの用途により、表示画面３０Ｄに表示するガイド画像は、変更されるものであることは言うまでもない。
【０１３２】
［その他の実施形態または変形例］
なお、上述の実施形態の携帯電話端末においては、操作入力手段として操作ボタンを設けるようにしたが、表示画面３０Ｄに対して透明のタッチパネルを設け、当該タッチパネルにより、表示画面３０Ｄに表示されたアイコンボタンを指示操作する操作手段を設けても良い。
【０１３３】
上述した実施形態は、電子機器が携帯電話端末の例であるが、この発明が適用される電子機器は、携帯電話端末に限られるものではないことは言うまでもない。要は、筐体の一面に表示画面とセンサとが設けられる構成を備える電子機器であれば、どのような電子機器であっても適用可能である。
【０１３４】
透明ディスプレイデバイスは、上述の実施形態では、透明有機ＥＬパネルを用いるようにしたが、これに限られるものではない。例えば透明ＬＣＤ（Liquid  Crystal  Display）パネルを、透明ディスプレイデバイスとして用いても良い。
【符号の説明】
【０１３５】
２０…携帯電話端末、２１…筐体、３０…表示部、３１…透明ディスプレイデバイス、３２…透明板、３３…張り合わせシート、３４…印刷層、４０…カメラ素子、７１…照度センサ、７２…近接センサ、９０…指紋センサ
【図１】
2012070356.tif 000003
【図２】
2012070356.tif 000004
【図３】
2012070356.tif 000005
【図４】
2012070356.tif 000006
【図５】
2012070356.tif 000007
【図６】
2012070356.tif 000008
【図７】
2012070356.tif 000009
【図８】
2012070356.tif 000010
【図１０】
2012070356.tif 000011
【図１１】
2012070356.tif 000012
【図１２】
2012070356.tif 000013
【図１３】
2012070356.tif 000014
【図１４】
2012070356.tif 000015
【図１５】
2012070356.tif 000016
【図１６】
2012070356.tif 000017
【図９】
2012070356.tif 000018
【図１７】
2012070356.tif 000019